(57)【要約】【課題】プロテクタに対する配線部材の固定作業を容易に行えるようにすることを目的とする。【解決手段】プロテクタ２０は、底板部２４と、底板部２４の両側から立ち上がる一対の側壁部２６とを含み、少なくとも１本の電線を含む配線部材を収容可能なプロテクタ本体部２２と、プロテクタ本体部２２の開口部を塞ぐ蓋部４０とを備える。プロテクタ本体部２２に、側壁部２６の内面に対して間隔をあけた状態で、底板部２４側から開口部に向けて延び、プロテクタ本体部２２内側に向けて弾性変形可能な弾性固定片部分３１と、弾性固定片部分３１のうちプロテクタ本体部２２の内向き側の部分に設けられた位置決め用の突起部３２とを含む固定片部分３０が設けられる。蓋部４０に、側壁部２６と弾性固定片部分３１との間に挿入可能に形成され、その挿入状態で、弾性固定片部分３１をプロテクタ本体部２２内側に向けて弾性変形させる押え部４２が設けられている。【選択図】図１
2015192455.tif 000002
【特許請求の範囲】
【請求項１】
底板部と前記底板部の両側から立ち上がる一対の側壁部とを含み、少なくとも１本の電線を含む配線部材を収容可能なプロテクタ本体部と、
前記プロテクタ本体部に対して前記底板部に対向する開口部を塞ぐように取付けられる蓋部と、
を備え、
前記プロテクタ本体部に、前記側壁部の内面に対して間隔をあけた状態で、前記底板部側から前記開口部に向けて延び、前記プロテクタ本体部内側に向けて弾性変形可能な弾性固定片部分と、前記弾性固定片部分のうち前記プロテクタ本体部の内向き側の部分に設けられた位置決め用の突起部とを含む固定片部分が設けられ、
前記蓋部に、前記側壁部と前記弾性固定片部分との間に挿入可能に形成され、その挿入状態で、前記弾性固定片部分をプロテクタ本体部内側に向けて弾性変形させる押え部が設けられている、プロテクタ。
【請求項２】
請求項１に記載のプロテクタであって、
前記固定片部分が、前記一対の側壁部の内側に一対設けられ、
前記押え部が、前記一対の固定片部分に対応して一対設けられている、プロテクタ。
【請求項３】
請求項１又は請求項２に記載のプロテクタであって、
前記押え部は、前記プロテクタ本体部の延在方向に沿って間隔をあけて設けられた複数の分割押え部を含み、前記複数の分割押え部のそれぞれが前記弾性固定片部分をプロテクタ本体部内側に向けて弾性変形させる、プロテクタ。
【請求項４】
請求項１〜請求項３のいずれか１項に記載のプロテクタであって、
前記押え部は、その基端側に向けてプロテクタ本体部内側に向かう凹状の弧状押え部を含む、プロテクタ。
【請求項５】
請求項１〜請求項４のいずれか１項に記載のプロテクタであって、
前記固定片部分は、前記底板部から前記側壁部の突出方向と同一方向に沿って突設されている、プロテクタ。
【請求項６】
請求項１〜請求項５のいずれか１項に記載のプロテクタであって、
前記プロテクタ本体部と蓋部とを固定するロック機構が、前記固定片部分の側方位置に設けられている、プロテクタ。
【請求項７】
請求項１〜請求項６のいずれか１項に記載のプロテクタであって、
前記押え部は、前記側壁部の内面に接触した状態で、前記弾性固定片部分を前記プロテクタ本体部内側に向けて弾性変形させる、プロテクタ。
【請求項８】
請求項１〜請求項７のいずれか１項に記載のプロテクタと、
複数の電線を含み、前記固定片部分の突起部が押し当てられた状態で、前記プロテクタに収容された配線部材と、
を備えるプロテクタ付電線モジュール。
【発明の詳細な説明】
【技術分野】
【０００１】
この発明は、電線を保護するプロテクタに関する。
【背景技術】
【０００２】
特許文献１は、一対の側壁部に形成された一対の係止部の間にワイヤーハーネスを配設することで、ワイヤーハーネスを固定する技術を開示している。
【先行技術文献】
【特許文献】
【０００３】
【特許文献１】特開２０１３−１４１３６６号公報
【発明の概要】
【発明が解決しようとする課題】
【０００４】
しかしながら、特許文献１では、ワイヤーハーネスを固定可能な程度に、一対の係止部の隙間を、ワイヤーハーネスの外径よりも小さくする必要がある。このため、一対の係止部の間にワイヤーハーネスを挟込む作業が困難となる。
【０００５】
そこで、本発明は、プロテクタに対する配線部材の固定作業を容易に行えるようにすることを目的とする。
【課題を解決するための手段】
【０００６】
上記課題を解決するため、第１の態様に係るプロテクタは、底板部と前記底板部の両側から立ち上がる一対の側壁部とを含み、少なくとも１本の電線を含む配線部材を収容可能なプロテクタ本体部と、前記プロテクタ本体部に対して前記底板部に対向する開口部を塞ぐように取付けられる蓋部と、を備え、前記プロテクタ本体部に、前記側壁部の内面に対して間隔をあけた状態で、前記底板部側から前記開口部に向けて延び、前記プロテクタ本体部内側に向けて弾性変形可能な弾性固定片部分と、前記弾性固定片部分のうち前記プロテクタ本体部の内向き側の部分に設けられた位置決め用の突起部とを含む固定片部分が設けられ、前記蓋部に、前記側壁部と前記弾性固定片部分との間に挿入可能に形成され、その挿入状態で、前記弾性固定片部分をプロテクタ本体部内側に向けて弾性変形させる押え部が設けられているものである。
【０００７】
第２の態様は、第１の態様に係るプロテクタであって、前記固定片部分が、前記一対の側壁部の内側に一対設けられ、前記押え部が、前記一対の固定片部分に対応して一対設けられているものである。
【０００８】
第３の態様は、第１又は第２の態様に係るプロテクタであって、前記押え部は、前記プロテクタ本体部の延在方向に沿って間隔をあけて設けられた複数の分割押え部を含み、前記複数の分割押え部のそれぞれが前記弾性固定片部分をプロテクタ本体部内側に向けて弾性変形させるものである。
【０００９】
第４の態様は、第１〜第３のいずれか１つの態様に係るプロテクタであって、前記押え部は、その基端側に向けてプロテクタ本体部内側に向かう凹状の弧状押え部を含むものである。
【００１０】
第５の態様は、第１〜第４のいずれか１つの態様に係るプロテクタであって、前記固定片部分は、前記底板部から前記側壁部の突出方向と同一方向に沿って突設されているものである。
【００１１】
第６の態様は、第１〜第５のいずれか１つの態様に係るプロテクタであって、前記プロテクタ本体部と蓋部とを固定するロック機構が、前記固定片部分の側方位置に設けられているものである。
【００１２】
第７の態様は、第１〜第６のいずれか１つの態様に係るプロテクタであって、前記押え部は、前記側壁部の内面に接触した状態で、前記弾性固定片部分を前記プロテクタ本体部内側に向けて弾性変形させるものである。
【００１３】
第８の態様は、第１〜第７のいずれか１つの態様に係るプロテクタと、複数の電線を含み、前記固定片部分の突起部が押し当てられた状態で、前記プロテクタに収容された配線部材と、を備える。
【発明の効果】
【００１４】
第１〜第８の態様によると、弾性固定片部分をプロテクタ本体部内側に向けて弾性変形させる前に、プロテクタ本体部内に配線部材を収容することができるため、当該配線部材の収容作業を容易に行える。そして、蓋部の押え部が弾性固定片部分をプロテクタ本体部内側に向けて弾性変形させることで、位置決め用の突起部が配線部材に押付けられ、配線部材が位置決め固定される。このため、プロテクタに対する配線部材の固定作業を容易に行える。
【００１５】
第２の態様によると、一対の固定片部分によって、配線部材をより確実に位置決め固定できる。
【００１６】
第３の態様によると、押え部の材料費削減、重量削減、ひいては、プロテクタの材料費削減、重量削減が可能となる。
【００１７】
第４の態様によると、弾性固定片部分の先端部を弧状押え部によって押えてプロテクタ本体部の内向きに変形させることができる。また、固定片部分を弧状押えの凹んだ部分に配設することができるため、プロテクタ本体部内になるべく大きな外径の配線部材を収容することが可能となる。
【００１８】
第５の態様によると、固定片部分を側壁部と共に容易に形成できる。
【００１９】
第６の態様によると、ロック機構が、前記プロテクタ本体部と蓋部とを固定する力が、押え部が弾性固定片部分をプロテクタ本体部内側に向けて弾性変形させる力としてより確実に作用する。これにより、配線部材をより確実に位置決め固定できる。
【００２０】
第７の態様によると、押え部が、弾性固定片部分を前記プロテクタ本体部内側に向けてより確実に弾性変形させる、これにより、配線部材をより確実に位置決め固定できる。
【図面の簡単な説明】
【００２１】
【図１】実施形態に係るプロテクタ付電線モジュールを示す図である。
【図２】プロテクタのプロテクタ本体部を示す部分斜視図である。
【図３】プロテクタの蓋部を示す部分斜視図である。
【図４】プロテクタにワイヤーハーネスが収容された状態を示す概略正面図である。
【図５】プロテクタにワイヤーハーネスが収容された状態を示す概略正面図である。
【図６】第１変形例に係るプロテクタにワイヤーハーネスが収容された状態を示す概略正面図である。
【図７】第２変形例に係るプロテクタにワイヤーハーネスが収容された状態を示す概略正面図である。
【発明を実施するための形態】
【００２２】
以下、実施形態に係るプロテクタ及びプロテクタ付電線モジュールについて説明する。
【００２３】
図１はプロテクタ付電線モジュール１０を示す概略部分斜視図であり、図２はプロテクタ２０のプロテクタ本体部２２を示す部分斜視図であり、図３は同プロテクタ２０の蓋部４０を示す部分斜視図であり、図４及び図５はプロテクタ２０にワイヤーハーネス１２が収容された状態を示す概略正面図である。なお、図４及び図５では、異なる径のワイヤーハーネス１２が収容された状態を示している。
【００２４】
プロテクタ付電線モジュール１０は、プロテクタ２０と、少なくとも１本の電線１４を含む配線部材としてのワイヤーハーネス１２とを備える。
【００２５】
ワイヤーハーネス１２は、電力の供給或は信号の通信を行う電線１４を複数含んでおり、自動車等の車両において電気機器同士を接続する配線材として用いられる。なお、各図では、ワイヤーハーネス１２の外形部分を示しており、図４では当該ワイヤーハーネス１２に含まれる複数の電線１４の一部を示している。
【００２６】
ワイヤーハーネス１２は、少なくともプロテクタ２０に収容された状態では集合した状態に維持される。ここでは、複数の電線１４が粘着テープ等で結束され、円形断面をなすように集合した状態に維持されている。粘着テープ等による結束は必須ではない。
【００２７】
ワイヤーハーネス１２の延在方向の中間部がプロテクタ２０に収容され、その両端部がプロテクタ２０の両端側から外方に延出している。ワイヤーハーネスは、光ファイバを含んでいてもよい。ワイヤーハーネスは、その延在方向中間位置で分岐していてもよい。
【００２８】
なお、配線部材は少なくとも１本の電線を含んでいればよく、従って、プロテクタ２０内には１本の電線が収容されてもよい。
【００２９】
プロテクタ２０は、プロテクタ本体部２２と、蓋部４０とを備える。
【００３０】
プロテクタ本体部２２は、樹脂等によって金型成型された部材であり、底板部２４と、一対の側壁部２６とを備える。
【００３１】
底板部２４は、細長板状に形成されている。底板部２４は、その延在方向の中間部等で、その幅方向又はその厚み方向に曲っていてもよい。
【００３２】
一対の側壁部２６は、底板部２４の両側部から底板部２４の一方主面側に立上がるように形成されている。なお、ここでは、一対の側壁部２６は、底板部２４に対して直交姿勢で立上がっているが、両者が湾曲部を介して繋がっていてもよい。
【００３３】
そして、底板部２４と一対の側壁部２６とで囲まれる空間内に、ワイヤーハーネス１２の延在方向の中間部を収容できるようになっている。
【００３４】
また、プロテクタ本体部２２内には固定片部分３０が設けられている。この固定片部分３０は、プロテクタ本体部２２と共に樹脂等によって金型一体形成されている。ここでは、固定片部分３０が、一対の側壁部の内側に一対設けられている。
【００３５】
また、ここでは、固定片部分３０は、プロテクタ本体部２２の端部に近い部分に形成されているが、プロテクタ本体部２２の延在方向中間部に設けられていてもよい。
【００３６】
固定片部分３０は、弾性固定片部分３１と、突起部３２とを備える。
【００３７】
弾性固定片部分３１は、側壁部２６の内面に対して間隔をあけた状態で、底板部２４から、プロテクタ本体部２２のうち底板部２４とは反対側の開口に向けて延びるように設けられている。
【００３８】
弾性固定片部分３１は、方形板状に形成されており、側壁部２６と平行姿勢でかつ当該側壁部に対して間隔をあけた状態で、底板部２４から側壁部２６の突出方向と同一方向に沿って突設されている。これにより、弾性固定片部分３１の突出方向中間部及び先端部は、プロテクタ本体部２２の内側、即ち、その幅方向中央に向う方向に弾性変形することができる。弾性固定片部分３１の突出寸法は、蓋部４０に達しない範囲でなるべく大きいことが好ましい。
【００３９】
なお、弾性固定片部分が板状であることは必須ではなく、弾性変形可能な程度に細い棒状の部材等であってもよい。また、弾性固定片部分は、側壁部に突設されていてもよい。例えば、弾性固定片部分は、側壁部の内面からその内側に向けて延びた後、途中で曲って前記開口に向けて延びる形状であってもよい。
【００４０】
突起部３２は、弾性固定片部分３１のうちプロテクタ本体部２２の内向きの部分に設けられた位置決め用の突起部である。ここでは、突起部３２は、弾性固定片部分３１の内面に対して弾性固定片部分３１の突出方向に沿って延びる細長い凸形状に形成されている。突起部３２の延在方向に直交する方向における突起部３２の断面形状は方形状に形成されている。
【００４１】
また、弾性固定片部分３１の内面に対して、複数（ここでは２つ）の突起部３２が、プロテクタ本体部２２の延在方向において間隔をあけて複数列設けられている。これにより、複数の突起部３２がより確実にワイヤーハーネス１２に押し当てられ、その位置決めを行える。もっとも、突起部３２は少なくとも１つあればよい。
【００４２】
この突起部の断面形状は、三角形状、半円形状等であってもよい。また、突起部が細長い凸形状であることは必須ではない。例えば、弾性固定片部分の内面には、円錐、角錐、円柱状又は角柱状の点状突起が１つ又は複数設けられていてもよい。
【００４３】
一対の固定片部分３０間の距離（より具体的には、対向する突起部３２の先端部間の距離）は、プロテクタ本体部２２内において収容対象となるワイヤーハーネス１２の幅（ワイヤーハーネス１２の断面形状が円形である場合には外径）よりも大きな寸法に設定されている。このため、ワイヤーハーネス１２を一対の固定片部分３０の間に容易に配設することができる。そして、一対の固定片部分３０を内向けに弾性変形させることで、各突起部３２がワイヤーハーネス１２に押し当てられるようになっている。もっとも、一対の固定片部分３０間の距離（より具体的には、対向する突起部３２の先端部間の距離）は、ワイヤーハーネス１２の幅と同じであってもよい。この場合でも、一対の固定片部分３０を広げることなく、ワイヤーハーネス１２を一対の固定片部分３０間に容易に配設することができるからである。
【００４４】
また、一対の側壁部２６の外面のうち底板部２４とは反対側の部分に、ロック受部２７が設けられている。ロック受部２７は、底板部２４に直交する方向に貫通する開口２７ｈを有しており、後述する蓋部４０のロック部が本開口２７ｈに挿通されることで、ロック受部２７に係止固定される。
【００４５】
ロック受部２７は、固定片部分３０の側方位置に設けられることが好ましく、ここでも、ロック受部２７は、固定片部分３０の側方位置、即ち、プロテクタ本体部２２の端部に近い位置に設けられている。
【００４６】
蓋部４０は、樹脂等によって金型成型された部材であり、プロテクタ本体部２２に対して、底板部２４に対向する開口部を塞ぐように、取付可能に構成されている。ここでは、蓋部４０は、底板部２４と同様の細長板状に形成されており、底板部２４の反対側でプロテクタ本体部２２の開口部の全体を塞ぐ構成とされている。
【００４７】
蓋部４０のうち内向き面には押え部４２が設けられている。この押え部４２は、蓋部４０の他の部分と共に、樹脂等によって金型一体形成されている。
【００４８】
ここでは、押え部４２は、上記各固定片部分３０に対応して一対設けられている。より具体的には、一対の押え部４２が、蓋部４０の内面の端部に近い部分の両側部に設けられている。
【００４９】
押え部４２は、対応する側壁部２６及び弾性固定片部分３１との間に挿入可能に構成されており、その挿入状態で、弾性固定片部分３１をプロテクタ本体部２２内側に向けて弾性変形させることが可能な形状に形成されている。
【００５０】
すなわち、押え部４２の先端部は、蓋部４０をプロテクタ本体部２２に取付けた状態で、対応する側壁部２６及び弾性固定片部分３１の間に収容可能な形状に形成されている。これにより、プロテクタ本体部２２の上方から蓋部４０を被せるようにすることで、押え部４２の先端部を対応する側壁部２６及び弾性固定片部分３１間に容易に入り込ませることができる。
【００５１】
また、押え部４２の突出方向中間部及び基端部の少なくとも一部は、蓋部４０をプロテクタ本体部２２に取付けた状態で、対応する弾性固定片部分３１の外面よりもプロテクタ本体部２２内側に位置する形状に形成されている。好ましくは、押え部４２のうちプロテクタ本体部２２の内向き部分が、押え部４２の先端側から基端側に向けて徐々にプロテクタ本体部２２内側に突出する形状に形成されている。
【００５２】
これにより、プロテクタ本体部２２に蓋部４０を取付けた状態で、押え部４２が弾性固定片部分３１をプロテクタ本体部２２の内向きに弾性変形させることができるようになる。
【００５３】
より具体的には、押え部４２は、プロテクタ本体部２２の延在方向に沿って間隔をあけて設けられた複数（ここでは４つ）の分割押え部４４を含む。複数の分割押え部４４は、対応する弾性固定片部分３１に当接可能な範囲で間隔をあけて並列状に形成されており、それぞれの分割押え部４４が対応する弾性固定片部分３１をプロテクタ本体部２２内側に向けて弾性変形させることができるようになっている。なお、押え部４２が上記のように分割して形成されていることは必須ではない。
【００５４】
各分割押え部４４は、底板部２４及び側壁部２６に対して直交する板状に形成されている。
【００５５】
分割押え部４４のうち外向き縁部分は、蓋部４０の内面に対して直交する方向に延在する直線縁部分４４ａに形成されている。この直線縁部分４４ａは、蓋部４０をプロテクタ本体部２２に取付けた状態で、対応する側壁部２６の内面に接触する。そして、この直線縁部分４４ａが側壁部２６の内面に接触した状態で、分割押え部４４が弾性固定片部分３１をプロテクタ本体部２２の内側に向けて弾性変形させるようになっている。
【００５６】
また、分割押え部４４のうち内向き縁部分は、その基端側に向けてプロテクタ本体部２２の内側に向うように延在する、凹状の弧状押え部４４ｂに形成されている。そして、分割押え部４４の幅寸法が、その先端部から基端部に向うに従って徐々に大きくなり、その途中で、対応する側壁部２６と弾性固定片部分３１との幅寸法を越えるようになっている。なお、分割押え部のうち内向き縁部分は、その基端側に向けてプロテクタ本体部の内側に向うように直線状に傾斜する形状であってもよい。
【００５７】
なお、分割押え部４４の突出寸法は、底板部２４に達し無い範囲で、かつ、固定片部分３０と側壁部２６との間に挿入可能な範囲で、任意に設定することができる。
【００５８】
また、蓋部４０の両側部であって上記ロック受部２７に対応する位置には、ロック片４６が突設されている。ロック片４６は、蓋部４０の両側部からプロテクタ本体部２２側に向けて突出する板状部４６ａと、板状部４６ａの先端部の外面に突出するロック突部４６ｂとを備える。ロック突部４６ｂは、ロック片４６の先端側に向けて徐々に高さ寸法が小さくなる形状に形成されている。そして、ロック片４６をロック受部２７の開口２７ｈに挿通すると、ロック突部４６ｂが開口２７ｈを抜出た状態で、開口２７ｈの周縁部に抜止め係止する。これにより、ロック片４６とロック受部２７とがロックされ、蓋部４０がプロテクタ本体部２２に取付けられる。
【００５９】
ロック受部２７及びロック片４６は、プロテクタ本体部２２と蓋部４０とを固定するロック機構であり、固定片部分３０及び押え部４２の側方位置に設けられている。
【００６０】
このように構成されたプロテクタ２０内に対して、次のようにワイヤーハーネス１２が収容される。
【００６１】
すなわち、ワイヤーハーネス１２の延在方向の中間部をプロテクタ本体部２２内に収容し、プロテクタ本体部２２の端部においてワイヤーハーネス１２を一対の固定片部分３０間に配設する。
【００６２】
そして、プロテクタ本体部２２の開口部の上方から蓋部４０を被せるようにして、蓋部４０によって開口部を塞ぐ。この際、一対の押え部４２のそれぞれが、対応する側壁部２６と固定片部分３０との間に挿入配置される。より具体的には、押え部４２の各分割押え部４４の直線縁部分４４ａが側壁部２６の内面に接触した状態で、弧状押え部４４ｂが固定片部分３０の先端部に当接する。そして、蓋部４０がプロテクタ本体部２２に近づくに従って、固定片部分３０の先端部を徐々にプロテクタ本体部２２の内側に押え込むように、固定片部分３０を弾性変形させる。すると、固定片部分３０の突出方向中間部において、突起部３２がワイヤーハーネス１２の外周周りの一部に押付けられるようになる。そして、ロック片４６とロック受部２７とが係止し合って蓋部４０がプロテクタ本体部２２に固定された状態で、固定片部分３０の先端部がプロテクタ本体部２２の内側に押え込まれ、かつ、固定片部分３０の突出方向中間部において突起部３２がワイヤーハーネス１２の外周周りの一部に押付けられた状態で、ワイヤーハーネス１２がプロテクタ２０に対して固定されることになる。
【００６３】
この際、弾性固定片部分３１の突出方向中間部がワイヤーハーネス１２の外周周りの一部に押付けられた状態となるように、弾性固定片部分３１が弾性変形した状態に維持される。このため、弾性固定片部分３１の先端部を押え部４２によってプロテクタ本体部２２内側の所定位置に押付けた状態で、弾性固定片部分３１はワイヤーハーネス１２の外径に応じて弾性変形して、その突起部３２をワイヤーハーネス１２の外周部の一部に押付けた状態となる。これにより、ワイヤーハーネス１２の外径の変動に応じて、突起部３２をワイヤーハーネス１２の外周部の一部に押付けることができる。例えば、図４では外径Ｒ１のワイヤーハーネス１２を収容した状態を示しており、図５ではＲ１よりも小さい外径Ｒ２のワイヤーハーネス１２を収容した状態を示している。いずれの場合において、弾性固定片部分３１の突出方向中間部の弾性変形程度が、ワイヤーハーネス１２の外径Ｒ１、Ｒ２に応じて変動することで、突起部３２をワイヤーハーネス１２の外周部に押し当てることができる。
【００６４】
特に、押え部４２は、弧状押え部４４ｂによって弾性固定片部分３１を押えるため、弾性固定片部分３１を弧状押え部４４ｂのうち凹んだ部分に逃すように配設することができる。これにより、ワイヤーハーネス１２の外径変動により柔軟に対応できる。
【００６５】
以上のように構成されたプロテクタ２０及びプロテクタ付電線モジュール１０によると、弾性固定片部分３１をプロテクタ本体部２２の内側に向けて弾性変形させる前に、プロテクタ本体部２２内にワイヤーハーネス１２を収容することができるため、ワイヤーハーネス１２の収容作業を容易に行える。そして、ワイヤーハーネス１２をプロテクタ本体部２２内に収容した後、蓋部４０をプロテクタ本体部２２に固定すると、蓋部４０の押え部４２が弾性固定片部分３１をプロテクタ本体部２２の内側に向けて弾性変形され、位置決め用の突起部３２がワイヤーハーネス１２に押付けられ、持って、ワイヤーハーネス１２が位置決め固定される。このため、プロテクタ２０に対するワイヤーハーネス１２の固定作業を容易に行える。
【００６６】
また、プロテクタの端部に設けられた固定片に対してワイヤーハーネスを、結束バンド又は粘着テープ等の結束部材によって固定する構成と比較すると、当該結束部材を削減できると共にその結束作業を省くことができるため、作業コストを低減することが可能となる。もっとも、本実施形態で説明した構成が、そのような固定片及び結束部材を用いた固定構成と併用されてもよい。
【００６７】
また、一対の固定片部分３０が設けられているため、ワイヤーハーネス１２がその両側から一対の固定片部分３０によって位置決め固定され、ワイヤーハーネス１２をより確実に位置決め固定できる。また、ワイヤーハーネス１２がプロテクタ２０の幅方向中央に寄せて位置決め固定することができる。
【００６８】
もっとも、固定片部分３０が一対設けられていることは必須ではなく、固定片部分及び押え部がプロテクタの一方側のみに設けられ、他方側ではワイヤーハーネスが側壁部によって受止められていてもよい。
【００６９】
また、押え部４２は、複数の分割押え部４４によって構成されているため、プロテクタ２０の材料費削減、重量削減、成型時における樹脂ヒケ抑制等が可能となる。
【００７０】
また、押え部４２は、弧状押え部４４ｂによって弾性固定片部分３１を押えるため、弾性固定片部分３１をプロテクタ本体部２２の内側に容易に弾性変形させることができる。そして、弾性固定片部分３１の中間部を弧状押え部４４ｂ側の凹んだ部分に配設することができるため、プロテクタ本体部２２内になるべく大きな外径のワイヤーハーネス１２を収容することが可能となる。
【００７１】
また、固定片部分３０が底板部２４からプロテクタ本体部２２の開口部に向けて突出しているため、固定片部分３０を側壁部２６等と共に容易に型抜きできる形状とすることができ、固定片部分３０を含むプロテクタ本体部２２を容易に一体的に金型成形できる。
【００７２】
また、ロック受部２７及びロック片４６が、固定片部分３０の側方位置に設けられているため、蓋部４０とプロテクタ本体部２２とを固定する力が、押え部４２が弾性固定片部分３１をプロテクタ本体部２２の内側に向けて弾性変形させ、かつ、弾性変形した状態に維持する力としてより確実に作用する。このため、ワイヤーハーネス１２をより確実に位置決め固定できる。
【００７３】
また、押え部４２の分割押え部４４の直線縁部分４４ａが側壁部２６の内面に接触した状態で、押え部４２が固定片部分３０を弾性変形させるため、押え部４２は、固定片部分３０をより確実にプロテクタ本体部２２の内側に向けて弾性変形させ、かつ、弾性変形した状態に維持することができる。このため、ワイヤーハーネス１２をより確実に位置決め固定できる。なお、押え部４２が側壁部２６の内面に接することは必須ではない。押え部が側壁部から離れた状態で、固定片部分に接して当該固定片部分を弾性変形させてもよい。
【００７４】
なお、プロテクタ本体部は、横長又は縦長に形成されていてもよい。
【００７５】
例えば、図６に示す第１変形例に係るプロテクタ１２０では、プロテクタ本体部２２に対応するプロテクタ本体部１２２が、その幅方向に電線束１１２を２つ並べた状態に収容可能な形状に形成されている。この場合であっても、一方の固定片部分３０が一方の電線束１１２に押付けられ、他方の固定片部分３０が他方の電線束１１２に押付られ、これにより、電線束１１２が位置決め固定される。電線束が３つ以上ある場合には、その幅方向両側の電線束が固定片部分によって位置決め固定され、その中間の電線束が両側の電線束によって挟まれることで、複数の電線束が全体として位置決め固定される。
【００７６】
また、図７に示す第２変形例に係るプロテクタ２２０では、プロテクタ本体部２２に対応するプロテクタ本体部２２２が、その深さ方向に電線束１１２を２つ並べた状態に収容可能な形状に形成されている。この場合であっても、両固定片部分３０が上側の電線束１１２に押付けられ、下側の電線束１１２は、上側の電線束１１２と底板部２４との間に挟み込まれた状態となり、両電線束１１２が全体として位置決め固定される。電線束が３つ以上ある場合には、その上側及び下側の電線束がそれらの中間の電線束を挟むことによって、複数の電線束が全体として位置決め固定される。
【００７７】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７８】
１０  プロテクタ付電線モジュール
１２  ワイヤーハーネス
１４  電線
２０，１２０，２２０  プロテクタ
２２，１２２，２２２  プロテクタ本体部
２４  底板部
２６  側壁部
２７  ロック受部
３０  固定片部分
３１  弾性固定片部分
３２  突起部
４０  蓋部
４２  押え部
４４  分割押え部
４４ａ  直線縁部分
４４ｂ  弧状押え部
４６  ロック片
１１２  電線束
【図１】
2015192455.tif 000003
【図２】
2015192455.tif 000004
【図３】
2015192455.tif 000005
【図４】
2015192455.tif 000006
【図５】
2015192455.tif 000007
【図６】
2015192455.tif 000008
【図７】
2015192455.tif 000009